(57)【要約】【課題】マッサージの施術に際して施術者を支援する装置および方法を提供する。【解決手段】体の各部位毎のマッサージ手順を記憶部３に記憶し、前記マッサージ手順にアクセス可能なマッサージ支援装置１であって、前記マッサージ手順の表示を要求する前記部位の入力を受け付ける入力部４と、入力された前記部位の前記マッサージ手順を表示するための表示部５と、前記入力部４で受け付けた前記部位の前記マッサージ手順を前記記憶部３から取得し、前記表示部５に表示させる制御部２と、を備え、前記マッサージ手順の表示が可能な前記部位は、下肢、背中、脚、腹部、腕、およびデコルテの少なくとも何れか一つを含むマッサージ支援装置１。【選択図】図１
2020120949.tif 000002
【特許請求の範囲】
【請求項１】
マッサージを行うマッサージ方法であって、
アルカリ還元イオン水を含有するゲルを施術対象者の施術対象部位に塗布し、
塗布後に前記施術対象部位のマッサージを行う
マッサージ方法。
【請求項２】
前記マッサージは、骨と癒着している筋肉をゆるませることで前記癒着を解消するマッサージである
請求項１記載のマッサージ方法。
【請求項３】
前記アルカリ還元イオン水として、ミネラルの含有率が０．３％以下であるアルカリ還元イオン水を用い、
前記アルカリ還元イオン水に含まれる前記ミネラルが負の電荷を帯びていることを特徴とする
請求項１または２記載のマッサージ方法。
【請求項４】
マッサージ手順に沿ってマッサージを行う構成とし、
前記マッサージ手順データは、ゲル及びオイル塗布、ほぐし、はがし、ストレッチ、緩める、および、血流またはリンパを流すという複数の施術行為の２つ以上が組み合わされており、
前記マッサージ手順における「はがし」は、筋肉の癒着を「ゆるめる」または「たわませる」手順である
請求項１、２、または３記載のマッサージ方法。
【請求項５】
アルカリ還元イオン水を含有させた
マッサージ用ゲル。
【請求項６】
体の各部位毎のマッサージ手順を示すマッサージ手順データを記憶する記憶部と、
前記部位の指定入力を受け付ける入力部と、
文字または／及び画像を表示する表示部と、
前記入力部で指定入力を受け付けた前記部位の前記マッサージ手順データを前記記憶部から取得し、前記表示部に表示させる制御部と、
を備え、
前記マッサージ手順の表示が可能な前記部位は、下肢、背中、脚、腹部、腕、およびデコルテの少なくとも何れか一つを含み、
施術前または施術中にアルカリ還元イオン水の塗布を指示する構成である
マッサージ支援装置。
【請求項７】
前記記憶部は、
前記マッサージ手順データに、手順のステップ毎に詳しい説明を示す詳細説明を記憶する構成であり、
前記制御部は、
前記マッサージ手順の表示において、手順のステップ毎に前記詳細説明を前記表示部に表示させる詳細説明表示部を有し、
前記詳細説明表示部は、表示させる前記マッサージ手順が下肢のマッサージ手順の場合に、ふくらはぎを３線に分けてほぐし、その後にふくらはぎのストレッチを行う手順を表示させる構成である。
請求項６記載のマッサージ支援装置。
【請求項８】
前記マッサージ手順データは、ゲル及びオイル塗布、ほぐし、はがし、ストレッチ、緩める、および、血流またはリンパを流すという複数の施術行為の２つ以上が組み合わされている
請求項６または７記載のマッサージ支援装置。
【請求項９】
前記マッサージ手順データにおける「はがし」は、筋肉の癒着を「ゆるめる」または「たわませる」手順である
請求項８記載のマッサージ支援装置。
【請求項１０】
前記マッサージ手順データは、前記ゲル及びオイル塗布に用いるゲルとして、アルカリ還元イオン水またはアルカリ還元イオン水含有のゲルを指定する構成である
請求項８または９記載のマッサージ支援装置。
【請求項１１】
請求項６から１０の何れか１つに記載のマッサージ支援装置を用いて施術者にマッサージを行わせる
マッサージ支援方法。
【発明の詳細な説明】
【技術分野】
【０００１】
この発明は、施術者等が行うマッサージおよびそのマッサージ用ゲルに関するものである。
【背景技術】
【０００２】
近年、病気ではない何らかの体の不調を訴える人が増加し、これに伴い、整体や整骨院の患者、エステサロン（マッサージ施設を含む）の来店者は増加傾向にある。
【０００３】
特許文献１では、全身の不調を改善するツボが多く集まる上肢に対して施術を行う美容施術方法が提供されている。
【０００４】
しかし、筋肉や筋膜が硬くなっている、もしくは骨に固着したような状態になっている患者に対して、筋肉や筋膜を十分にゆるめるものではなかった。このため、痛みを取り切れないといったものが多かった。
【０００５】
また、多くの施術者（エステティシャン）に新たなマッサージ技術を的確に指導し、そして、マッサージの施術に際して施術者を支援する装置はこれまでなかった。
【先行技術文献】
【特許文献】
【０００６】
【特許文献１】特開平１１−２２１２６０号公報
【発明の概要】
【発明が解決しようとする課題】
【０００７】
この発明は、上述した問題点に鑑み、マッサージの施術に際して施術者を支援するマッサージ方法、マッサージ用ゲル、マッサージ支援装置およびその方法を提供することを目的とする。
【課題を解決するための手段】
【０００８】
この発明は、マッサージを行うマッサージ方法であって、アルカリ還元イオン水を含有するゲルを施術対象者の施術対象部位に塗布し、塗布後に前記施術対象部位のマッサージを行うマッサージ方法、そのマッサージ用ゲル、あるいは、体の各部位毎のマッサージ手順を示すマッサージ手順データを記憶する記憶部と、前記部位の指定入力を受け付ける入力部と、文字または／及び画像を表示する表示部と、前記入力部で指定入力を受け付けた前記部位の前記マッサージ手順データを前記記憶部から取得し、前記表示部に表示させる制御部と、を備え、前記マッサージ手順の表示が可能な前記部位は、下肢、背中、脚、腹部、腕、およびデコルテの少なくとも何れか一つを含むマッサージ支援装置、若しくはこれによるマッサージ支援方法であることを特徴とする。
【発明の効果】
【０００９】
この発明により、マッサージの施術に際して施術者を支援するマッサージ方法、マッサージ用ゲル、マッサージ支援装置およびその方法を提供することができる。
【図面の簡単な説明】
【００１０】
【図１】マッサージ支援装置の構成を示すブロック図。
【図２】（Ａ）−（Ｃ）体の部位別マッサージ手順データの説明図。
【図３】（Ｄ）−（Ｆ）体の部位別マッサージ手順データの説明図。
【図４】マッサージ部位の入力画面の説明図。
【図５】マッサージ手順の表示画面の説明図。
【図６】マッサージ手順のステップ毎に表示される詳細説明の表示画面の説明図。
【図７】エコー画像によるマッサージ効果の説明図。
【図８】エコー画像によるマッサージ効果の説明図。
【図９】エコー画像によるマッサージ効果の説明図。
【図１０】エコー画像によるマッサージ効果の説明図。
【図１１】実施例２のスタート画面の説明図。
【発明を実施するための形態】
【００１１】
以下、この発明の一実施形態を図面と共に説明する。
【実施例１】
【００１２】
＜混合ゲル（マッサージ用ゲル）＞
本発明では、マッサージの際に施術対象者の施術対象部位に塗布する塗布剤として、混合ゲルを用いる。この混合ゲルは、ゲル混合剤と増粘剤等を混合して作成することができ、そのまま塗布して使用する、あるいは、一般的なマッサージ用のオイルと混合して使用することができる。
ゲル混合剤は、アルカリ還元イオン水であり、詳細は後述する。混合ゲルに混合する他の材料は、保湿成分剤と保水成分剤と増粘剤とすることができる。この実施例では、保湿・保水成分剤としてグリセリンを混合し、保湿成分剤としてヒアルロン酸ナトリウムを混合し、増粘剤としてケイ酸（Ｎａ／Ｍｇ）とセルロースガムを混合している。ゲル混合剤の配合については、アルカリ還元イオン水を９０％以上、すなわち、それ以外の保湿成分剤と保水成分剤と増粘剤を全て合わせても１０％未満とすることが好ましい。また、９０％以上あるアルカリ還元イオン水は、９０％の分量全てすることもできるが、その一部をアルカリ還元イオン水とし残部を水とすることもできる。この実施例では、マッサージ用ゲルとして、９０％以上のアルカリ還元イオン水にグリセリンとヒアルロン酸ナトリウムとケイ酸（Ｎａ／Ｍｇ）とセルロースガムを混合したものでＫＡＩ−ＴＭＧの名称で発売予定のものを使用する。
【００１３】
一般的なマッサージ用のオイル（キャリアオイル）としては、適宜のオイルを用いることができるが、アルガンオイルを用いることが好ましい。また、アルガンオイルには、ビタミンＡ，Ｃ，Ｅのいずれか１つまたは複数あるいは全部を混合することができ、ビタミンＡ，Ｃ，Ｅを全て混合したものが好ましい。
【００１４】
＜ゲル混合剤＞
ゲル混合剤は、蒸留水に添加物を加えて電気分解したアルカリ還元イオン水とすることができ、さらに脱酸素工程等を行った電解還元性イオン水（例えば電解還元性イオン水Ｓ−１００、電解還元性イオン水Ｓ−１２０、電解還元性イオン水Ｓ−１０９、あるいはアルカリ還元性イオン水Ｓ１００−Ｇ）とすることが好ましい。添加物は、例えばケイ素、マグネシウム、または硫酸等、若しくはこれらの複数とすることができ、ミネラルになる添加物とすることができる。また、ゲル混合剤は、アルカリ還元イオン水そのもの、若しくは、アルカリ還元イオン水をアルカリイオン水またはミネラル水あるいは精製水にて希釈した液など、アルカリ還元イオン水により構成される液である。希釈する場合、３倍以下の希釈とすることができ、２倍以下の希釈とすることが好ましい。
【００１５】
アルカリ還元イオン水の一種である電解還元性イオン水は、純水に対して脱酸素工程と、電気分解工程と、安定化工程とを行って得ることができる。
【００１６】
脱酸素工程は、イオン交換膜法等の適宜の方法によって脱酸素処理を行う工程とすることができ、これによって純水中の溶存酸素の濃度を通常値である８ｐｐｍから１ｐｐｍ以下に落とす。
【００１７】
電気分解工程は、高電圧の電解装置を用いて、脱酸素処理を行った純水中に電極を配して純水を電気分解し、マイナスの電極が配された陰極室側の水を取り出す電気分解処理を行う工程とすることができる。電解装置の電圧は、２００Ｖ以上とすることができ、２５０Ｖ以上とすることが好ましく、３００Ｖ程度とすることが好適である。ここで、負の電荷を多く持つミネラルを陰極室側の水に含有させておき、負の電荷を強くした陰極室側の水を本発明のアルカリ還元イオン水とする。
【００１８】
安定化工程は、電気分解工程により電気分解された純水のうち、陰極室側の純水を密閉された安定化槽内で所定の圧力をかけた状態で所定期間寝かせる安定化処理を実行する。
【００１９】
所定の圧力は、４ｋｇ／ｃｍ２以上とすることができ、１２ｋｇ／ｃｍ２とすることが好ましい。
所定期間は、２〜３日とすることができる。
【００２０】
このようにして負の電荷を強くしたマイナス極室の装置から取り出したアルカリ還元イオン水（電解還元性イオン水を含む）を得る。
このようにして得られたアルカリ還元イオン水は、溶存酸素が４ｐｐｍ、浸透圧が水１に対して１０７ミリオスモル、負の電荷のミネラルが０．３％未満含まれた構成となっている。
【００２１】
アルカリ還元イオン水（電解還元性イオン水を含む）は、ｐＨ８以上とすることができ、ｐＨ９．５以上とすることが好ましく、ｐＨ１０以上とすることがより好ましく、ｐＨ１０．５〜１２．５がより好ましく、ｐＨ１１．５〜１２．５がさらに好ましく、ｐＨ１２程度が好適である。
【００２２】
また、アルカリ還元イオン水（電解還元性イオン水を含む）は、法的に水と呼べる程度の少量（０．３％未満）の負の電荷のミネラルイオンを含むことが好ましい。具体的には、アルカリ還元イオン水（電解還元性イオン水を含む）中のミネラルイオンは、０．３％以下とすることができ、０．３％未満とすることが好ましい。また、ミネラルイオンの下限値は０．０１％以上とすることが好ましく、０．０５％以上とすることがより好ましい。ミネラルイオンは、ナトリウム、カリウム、マグネシウム、リン、塩素、珪素のいずれか１つ以上とすることができ、これら全てを含む構成や、これら以外のものも含む構成とすることもできる。
【００２３】
アルカリ還元イオン水（電解還元性イオン水を含む）は、水の表面張力である７２ｍＮ／ｍ（２５°）より低いことが好ましく、６０ｍＮ／ｍ（２５°）以下が好ましく、５６ｍＮ／ｍ（２５°）程度とすることが好適である。
アルカリ還元イオン水（電解還元性イオン水を含む）の浸透圧は、水１に対して９０〜１２０ミリオスモルとすることが好ましく、１００〜１１０ミリオスモルとすることがより好ましい。
【００２４】
次に、上述した混合ゲルを用いてマッサージを行う方法を施術者に伝えるマッサージ支援装置について説明する。
＜マッサージ支援装置の機能ブロック＞
図１は、マッサージ支援装置１の構成を示すブロック図である。
マッサージ支援装置１は、コンピュータで構成されており、ハードウェア要素として、ＣＰＵとＲＯＭ、ＲＡＭ等で構成されて各種演算や制御動作を実行する制御部２、ハードディスクやフラッシュメモリ等で構成されてデータのリードライトを許容する記憶部３、タッチパネル、キーボード、マウス、押下ボタン、またはこれらの複数で構成されて接触操作による入力を受け付ける入力部４、液晶ディスプレイや有機ＥＬディスプレイ等で構成されて文字や図等の画像を表示する表示部５、スピーカやイヤホン等で構成される音声を出力する音声出力部６を備えている。
【００２５】
制御部２は、マッサージ手順を表示するのに際して、当該表示を希望するマッサージ部位の入力を入力部４に要求するマッサージ部位入力要求機能部２１、入力された部位のマッサージ手順を表示部５に表示させるマッサージ手順表示機能部２２、および当該マッサージ手順の各ステップの施術内容の詳細な説明を表示部５に表示させる詳細説明表示機能部２３として機能する。
【００２６】
記憶部３には、マッサージ手順を示すことのできる体の部位が記載されたマッサージ部位データ３１、マッサージ部位データ３１に記載された部位別のマッサージ手順が記載された部位別マッサージ手順データ３２、および部位別のマッサージ手順の各ステップの施術内容の詳細な説明が記載された施術内容詳細説明データ３３が記憶されている。
【００２７】
マッサージ部位データ３１には、この例では、Ｂ面下肢、背中、脚Ａ面、腹部、腕、およびデコルテの５つの体の部位が記載されている。なお、Ｂ面下肢とはうつ伏せ状態の下肢を、脚Ａ面とは仰向け状態の脚をそれぞれ意味する。
【００２８】
＜部位別マッサージ手順データ＞
部位別マッサージ手順データ３２は、データテーブル形式となっている。部位別マッサージ手順データ３２は、この例では、Ｂ面下肢、背中、脚Ａ面、腹部、腕、およびデコルテの５つのマッサージ手順データテーブルを有している。
【００２９】
図２（Ａ）−（Ｃ）および図３（Ｄ）−（Ｆ）は、体の部位毎のマッサージ手順を示す部位別マッサージ手順データテーブルである。図２（Ａ）は、Ｂ面下肢のマッサージ手順データテーブル３２ａであり、図２（Ｂ）は、背中のマッサージ手順データテーブル３２ｂであり、図２（Ｃ）は、脚Ａ面のマッサージ手順データテーブル３２ｃであり、図３（Ｄ）は、腹部のマッサージ手順データテーブル３２ｄであり、図３（Ｅ）は、腕のマッサージ手順データテーブル３２ｅであり、図３（Ｆ）は、デコルテのマッサージ手順データテーブル３２ｆである。
【００３０】
部位別マッサージ手順データテーブルは、データ構造がすべて共通している。例えば、図２（Ａ）に示すＢ面下肢のマッサージ手順データテーブル３２ａは、１５行分のレコード３２ｇで構成されており、各レコード３２ｇには、手順のステップＮｏ．３２ｈと施術内容３２ｉと参照先の詳細説明データ名称３２ｊがこの順に記録されている。そして、各レコード３２ｇは、手順のステップＮｏ．３２ｈの小さい順に一列に並べられている。
【００３１】
＜施術内容＞
図２（Ａ）に示すように、例えば、Ｂ面下肢のマッサージ手順は、施術内容３２ｉに、ステップ１の「ゲル及びオイル塗布」、ステップ３，９、１５の「（筋肉の）ほぐし」、ステップ４、９の「（筋肉の）ストレッチ」、ステップ１２の「（筋肉を）緩める」、ステップ７，９、１５の「（血流またはリンパを）流し」等の複数種類の施術行為を含み、これらの施術行為が適切な順序で組み合わされている。
【００３２】
また、ステップ３，９、１５の「（筋肉の）ほぐし」は、ステップ３の「ほぐし」が「ふくらはぎ」の、ステップ９の「ほぐし」が「大腿方形筋」の、ステップ１５の「ほぐし」が「足裏」の「ほぐし」であり、これらの「ほぐし」の施術行為には、複数種類の筋肉部位の「ほぐし」が含まれる。
【００３３】
同様に、ステップ４、９の「（筋肉の）ストレッチ」は、ステップ４の「ストレッチ」が「ふくらはぎ」の、ステップ９の「ストレッチ」が「大腿四頭筋」の「ストレッチ」であり、「ストレッチ」の施術行為についても、複数種類の筋肉部位の「ストレッチ」が含まれる。
【００３４】
また、ステップ７，９、１５の「（血流またはリンパを）流し」は、ステップ７の「流し」が「ひざから下」を、ステップ９の「流し」が「大腿部」を、ステップ１５の「流し」が「全体」を「流し」ており、「流し」の施術行為には、血管やリンパに沿った複数種類の部位領域の「流し」が含まれる。
【００３５】
また、図２（Ｂ）に示す背中のマッサージ手順における施術内容３２ｉには、ステップ３、１３にそれぞれ「脊柱に沿って腰から首の方へ移動しながら」の「プッシュ」と、「腕を持って肩甲骨を動かしながら棘上筋」の「プッシュ」が示されている。このように「プッシュ」という施術行為には、複数種類の骨や関節の移動を伴った「プッシュ」が含まれる。
【００３６】
また、図２（Ｃ）に示す脚Ａ面のマッサージ手順における施術内容３２ｉには、ステップ１，３、７にそれぞれ「内転筋」の「はがし」と、「足の甲の筋膜のバランスを取り足指」の「はがし」と、「ひざ周りの癒着」を「剥がす」が示されている。このように「はがし」という施術行為は、「ゆるめる」または「たわませる」ことを指し、複数種類の筋肉や筋膜、あるいはそれらの癒着を「ゆるめる」および「たわませる」ことが含まれる。
【００３７】
また、図３（Ｄ）に示す腹部のマッサージ手順における施術内容３２ｉには、ステップ１に「肋骨下の筋膜」を「緩める」ことが示されている。
【００３８】
図３（Ｅ）に示す腕のマッサージ手順における施術内容３２ｉには、ステップ３に「固いところを片方の手」で「緩める」ことが、また、ステップ５に「手根と拇指で固いところ（筋膜を緩める気持ちで）」を「緩める」ことが示されている。
【００３９】
図３（Ｆ）に示すデコルテのマッサージ手順における施術内容３２ｉには、ステップ６に「そのまま大胸筋付着部（鎖骨下）」を「緩める」ことが、また、ステップ９に「乳突起付近を四指」で「緩める」ことと、「首の付け根プッシュ＆リリース」で「緩める」こととが示されている。このように「緩める」という施術行為には、施術対象部位別に使用する手や手指の組み合わせに複数の種類がある。
【００４０】
このようにマッサージ手順は、「ゲル及びオイル塗布」、「ほぐし」、「はがし」、「ストレッチ」、「緩める」、あるいは、血流またはリンパを「流す」といった複数種類の施術行為が様々に組み合わされている。また、個々の施術行為、例えば、「ほぐし」には複数種類あり、それらも、また、様々に組み合わされて、マッサージ手順は構成されている。
【００４１】
施術内容３２ｉを「ゲル及びオイル塗布」とする施術行為は、Ｂ面下肢のマッサージ手順のステップ１だけでなく、脚Ａ面のマッサージ手順のステップ４、腹部のマッサージ手順のステップ２、デコルテのマッサージ手順のステップ１でも行われる。これらの各ステップの「ゲル及びオイル塗布」に使用するゲル量及びオイル量は、それぞれ１〜２０ｍｌで、対象とする各部位の塗布面積に応じて調整した量が示される。このときのゲル及びオイルの塗布は、ゲル（マッサージ用ゲル）とオイルをそれぞれ別に塗布する、あるいは混合してから塗布するなど、適宜の方法で塗布することができる。
【００４２】
なお、当該ゲルは、蒸留水に添加物を加えて電気分解したアルカリ還元イオン水を含ませて使用するのが好ましい。使用するアルカリ還元イオン水は、溶存酸素が４ｐｐｍ、浸透圧が水１に対して１０７ミリオスモル、負の電荷のミネラルが０．３％未満含まれた構成のものが好ましい。また、アルカリ還元イオン水は、ｐＨ８以上とすることができ、ｐＨ９．５以上とすることが好ましく、ｐＨ１０以上とすることがより好ましく、ｐＨ１０．５〜１２．５がより好ましく、ｐＨ１１．５〜１２．５がさらに好ましく、ｐＨ１２程度が好適である。アルカリ還元イオン水は、皮膚内部に浸透しやすく、このため、アルカリ還元イオン水とともに使用されるオイル中の有効成分も皮膚内部に浸透しやすくなる。
【００４３】
＜施術内容詳細説明データ＞
参照先の詳細説明データ名称３２ｊは、部位別のマッサージ手順の各ステップの施術内容３２ｉの詳細な説明が記載された施術内容詳細説明データ３３の名称である（図１参照）。
【００４４】
施術内容詳細説明データ３３は、説明文データ３３ａ、ビデオ画像データ３３ｂ、および音声データ３３ｃを有している。
【００４５】
説明文データ３３ａは、施術の一連の流れや具体的な施術方法、施術に際しての注意点や重要な点等を、施術者に理解しやすいように詳細に説明した文章データである。
【００４６】
ビデオ画像データ３３ｂは、施術対象者に対して実際に施術を行っている場面を事前にビデオ画像として収録したビデオ画像データである。ビデオ画像データ３３ｂは、施術内容３２ｉで示されている施術対象者の被施術部位に対する施術者の手や手指の動きを重点的に収録している。収録時間は、実際の施術時間と同じである。
【００４７】
音声データ３３ｃは、ビデオ画像データ３３ｂの収録に合わせて録音された音声データである。音声データ３３ｃは、ビデオ画像データ３３ｂが映し出す各場面に合わせて、施術の流れや具体的な施術方法、施術に際しての注意点や重要な点等を解説する。
【００４８】
＜マッサージ支援装置の動作＞
制御部２のマッサージ部位入力要求機能部２１は、マッサージ支援装置１を起動させると、記憶部３からマッサージ部位データ３１を読み込み、表示部５にマッサージ部位入力画面５１を表示させる（図１参照）。
【００４９】
図４は、マッサージ部位の入力画面の説明図である。
マッサージ部位入力画面５１には、「マッサージ部位」を表頭５１ａとした、マッサージ部位データ３１に記録されたマッサージが可能な体の部位名称５１ｂが画面中央部に縦一列に並べられたマッサージ部位表５１ｃが表示される。この例では、部位名称５１ｂとして、「Ｂ面下肢」、「背中」、「脚Ａ面」、「腹部」、「腕」、および「デコルテ」が表示される。マッサージ部位表５１ｃの上部には、「＊マッサージ部位を選んでください」という頭注５１ｄが表示される。また、マッサージ部位表５１ｃの下部には、「決定」ボタン５１ｅが表示される。
【００５０】
制御部２のマッサージ手順表示機能部２２は、部位名称５１ｂの一つがクリックされ、続けて「決定」ボタン５１ｅがクリックされると、クリックされた部位名称５１ｂの部位別マッサージ手順データ３２を記憶部３から読み込み、クリックされた部位名称５１ｂのマッサージ手順表示画面５２を表示部５に表示させる（図１参照）。
【００５１】
図５は、マッサージ手順の表示画面の説明図である。この例では、「Ｂ面下肢」の部位名称５１ｂがクリックされた場合を示しており、制御部２のマッサージ手順表示機能部２２は、クリックされた部位名称５１ｂの部位別マッサージ手順データ３２として、Ｂ面下肢のマッサージ手順データテーブル３２ａを記憶部３から読み込む（図２（Ａ）参照）。
【００５２】
マッサージ手順表示画面５２には、読み込んだＢ面下肢のマッサージ手順データテーブル３２ａに基づいて、表題５２ａを「Ｂ面下肢のマッサージ手順」とし、表側頭５２ｂを「Ｎｏ．」とし、また、表題５２ｃを「施術内容」として、Ｂ面下肢の部位別マッサージ手順データ３２に記録された「ステップＮｏ．」が表側５２ｄに、ステップＮｏ．に対応した「施術内容」が表体５２ｅに表示されたマッサージ手順一覧表５２ｆが表示される。これにより、マッサージ手順のステップ順に施術内容を一覧することができる。
【００５３】
マッサージ手順一覧表５２ｆの上部には、「＊施術内容を選択すると詳細説明が表示されます」という頭注５２ｇが表示される。
【００５４】
また、マッサージ手順一覧表５２ｆの下部には、「もどる」ボタン５２ｈが表示される。なお、「もどる」ボタン５２ｈがクリックされると、制御部２のマッサージ部位入力要求機能部２１は、表示部５にマッサージ部位入力画面５１を再度表示させる（図４参照）。これにより、別のマッサージ部位の入力が可能となる。
【００５５】
制御部２の詳細説明表示機能部２３は、表体５２ｅに表示された「施術内容」の一つがクリックされると、読み込んだＢ面下肢のマッサージ手順データテーブル３２ａを参照し、クリックされた「施術内容」に対応する施術内容３２ｉが記録されたレコード３２ｇを検索し、当該レコード３２ｇに記録された参照先の詳細説明データ名称３２ｊを抽出する。
【００５６】
制御部２の詳細説明表示機能部２３は、抽出した参照先の詳細説明データ名称３２ｊの施術内容詳細説明データ３３を記憶部３から読み込む。そして、制御部２の詳細説明表示機能部２３は、読み込んだ施術内容詳細説明データ３３の内、説明文データ３３ａとビデオ画像データ３３ｂに基づいて、表示部５に施術内容詳細説明画面５３を表示させる（図１参照）。
【００５７】
また、制御部２の詳細説明表示機能部２３は、読み込んだ施術内容詳細説明データ３３の内、音声データ３３ｃに基づいて、ビデオ画像データ３３ｂの収録に合わせて録音された音声を音声出力部６から出力させる。
【００５８】
図６は、マッサージ手順のステップ毎に表示される詳細説明の表示画面の説明図である。この例では、図５に示したマッサージ手順表示画面５２において、表体５２ｅに表示された「施術内容」の一つである「ゲル及びオイル塗布」がクリックされた場合を示しており、制御部２の詳細説明表示機能部２３は、クリックされた表体５２ｅに表示された「ゲル及びオイル塗布」に対応する参照先の詳細説明データ名称３２ｊが「Ｂ面下肢１」の施術内容詳細説明データ３３を記憶部３から読み込む（図２（Ａ）参照）。
【００５９】
施術内容詳細説明画面５３には、画面上部に、上述のクリックされた表体５２ｅに表示されていた「ゲル及びオイル塗布」と、その「ステップＮｏ．」を表示する表題部５３ａが設けられている。施術内容詳細説明画面５３には、画面中央部にビデオ画像表示部５３ｂが設けられ、読み込んだ「Ｂ面下肢１」の施術内容詳細説明データ３３のビデオ画像データ３３ｂに基づいて、映像により施術内容を詳細に説明するビデオ画像が当該ビデオ画像表示部５３ｂに表示される。また、施術内容詳細説明画面５３には、画面下部に説明欄５３ｃが設けられ、読み込んだ「Ｂ面下肢１」の施術内容詳細説明データ３３の説明文データ３３ａに基づいて、施術内容の詳細な説明文が当該説明欄５３ｃに表示される。
【００６０】
ビデオ画像表示部５３ｂには、当該表示部下部に動画の一時停止／再生や、早戻し／早送り、停止を行う動画操作パネル５３ｅが設けられている。動画操作パネル５３ｅの操作により、ビデオ画像表示部５３ｂに表示するビデオ画像（動画）の見たい場面を繰り返し再生することができる。
【００６１】
音声操作ボタン５３ｆは、動画操作パネル５３ｅに並んで設けられている。音声操作ボタン５３ｆをＯＮにすると、ビデオ画像（動画）に連動して、施術内容の詳細な解説を聞くことができる。
【００６２】
「もどる」ボタン５３ｄは、説明欄５３ａの下方に設けられている。制御部２のマッサージ手順表示機能部２２は、「もどる」ボタン５３ｄがクリックされると、表示部５にマッサージ手順表示画面５２を再度表示させる（図５参照）。これにより、再度表示されたマッサージ手順表示画面５２において、表体５２ｅに表示された別の「施術内容」をクリックすることで、当該別の「施術内容」の詳細な説明を表示させることができる。
【００６３】
以上の構成と動作により、複数のステップからなるマッサージの技術は、口頭による伝承では時に不正確になる恐れがあったが、体の各部位毎のマッサージ手順を正確に記憶するマッサージ支援装置１を使用することにより、施術者（施術者）に正確に理解させることができる。
【００６４】
また、施術者は、マッサージ支援装置１を使用することで、理解に不安が生じた場合に傍に指導者が居なくとも、何度でも繰り返し学習することができる。
【００６５】
マッサージ支援装置１に支援されてマッサージを行える体の部位は、首から下の全てを網羅し、かつ、下肢、背中、脚、腹部、腕、またはデコルテの細分化された部位毎に支援を受けることができる。このため、施術者は、事前に施術対象者から症状や要望を聞いた上で、重点的に施術すべき部位の施術内容の詳細を知っておくことができる。
【００６６】
さらにマッサージ手順の表示において、手順の各ステップ毎に詳しく表示する詳細説明表示がある。このため、理解が容易である。また、知りたいステップの選択ができるため、効率がよい。
【００６７】
詳細説明が、説明文、ビデオ画像、あるいは音声、またはそれらの組み合わせによって行われるため、理解がしやすい。
【００６８】
マッサージ手順は、体の各部位毎に、ゲル及びオイル塗布、ほぐし、はがし、ストレッチ、緩める、あるいは、血流またはリンパを流すといった複数種類の施術行為が様々な態様で組み合わされている。このため、施術対象者にとっては、体の各部位を正常な状態に戻し、全身のバランスを整えるのに適している。その一方で、施術者にとっては、施術内容が複雑で間違った施術を行ってしまう恐れがあったが、マッサージ支援装置１の支援により、施術ミスを犯す恐れが小さくなる。
【００６９】
「ゲル及びオイル塗布」に用いるゲルは、上述した混合ゲルである。このため、ゲル中の有効成分および塗布されたオイルの有効成分は皮膚内部に浸透しやすくなり、これにより、「ゲル及びオイル塗布」自体による施術効果が高まると共に、前後のステップの他の施術行為との組み合わせによる相乗効果も高まる。
【００７０】
また、アルカリ還元イオン水が含まれる混合ゲルを塗布するゲル及びオイル塗布の工程が「はがし」の工程より前にあることで、筋肉の硬直をよりよく「ゆるめる」または「たわませる」ことができる。
【００７１】
また、「緩める」の工程より後に「流す」の工程があることにより、血液やリンパをより良く流すことができ、効果の高いマッサージを行える。
【００７２】
このようなマッサージ支援装置を用いたマッサージは、次の［表１］に示す効果を奏することができる。
【表１】
2020120949.tif 000003
【００７３】
表１における「痛みの変化度合い」は、被験者（施術対象者）が施術対象部位の痛みがどれくらい変化したかを主観で示す項目である。最も痛い状態を１０、痛みのない状態を０とした１０段階で考えて、どの程度変化したかを数値で示している。
【００７４】
表１における「筋肉の型さの変化度合い」は、被験者（施術対象者）が施術対象部位の筋肉の硬さがどれくらい変化したかを主観で示す項目である。最も硬い状態を１０、柔らかい状態を０とした１０段階で考えて、どの程度変化したかを数値で示している。
【００７５】
表１における「ほぐれ度合い（張りの変化）」は、施術者が施術対象部位の筋肉の硬さがどれくらい変化したかを主観で示す項目である。最も硬い状態を１０、柔らかい状態を０とした１０段階で考えて、どの程度変化したかを数値で示している。
【００７６】
なお、施術対象者による主観の評価は一般人である施術対象者による評価であるため人によって評価基準が変動し得るが、施術者の評価はプロによる評価であるため評価基準が安定している。
【００７７】
［表１］に示したように、一般的なオイルのみを用いて本マッサージ方法と同じ方法でマッサージした場合に比べて、本発明の混合ゲルを用いて本マッサージ方法でマッサージをした場合は、顕著な効果が表れている。すなわち、全被験者（施術対象者）において、一般的な「オイル」を用いた場合よりも、「本発明」の混合ゲルを用いた場合の方が、痛みの解消度合い、筋肉の硬さの度合い、ほぐれ度合いの全てにおいて変化の度合いが高いという結果が得られている。
このように、非常に効果的なマッサージを行うことができる。
【００７８】
図７〜図１０は、本発明による混合ゲルを用いて本発明のマッサージ方法を施術した効果を示すエコー画像の説明図である。各図の左側（Ａ１，Ｂ１）は施術前のエコー画像を示し、右側（Ａ２,Ｂ２）は施術後のエコー画像を示す。また、図７は、本発明のアルカリ還元イオン水を希釈せずにゲルに混合させた混合ゲルを用いた例であり、図８〜図１０は、水により本発明のアルカリ還元イオン水を希釈してからゲルに混合させた希釈混合ゲルを用いた例である。
【００７９】
図７（Ａ１）は、左肩前における烏口靭帯の施術前のエコー画像であり、図７（Ａ２）は、同部位の施術後のエコー画像である。矢印１０１に示すように、烏口靭帯がゆるんで（癒着が剥がれて）いることがわかる。すなわち、施術前は、筋が張って固くなっており、筋膜が癒着しているので白くスジのように発光して見えるが、施術後は、このようなスジがゆるんで黒く写る部分が増え、また、スジとスジとの間隔が広がっている。
【００８０】
図７（Ｂ１）は、左肩前における僧帽筋および棘上筋の施術前のエコー画像であり、図７（Ｂ２）は、同部位の施術後のエコー画像である。矢印１０２に示すように、棘上筋がゆるんで（癒着が剥がれて）いることがわかる。
【００８１】
図８（Ａ１）は、左肩横における烏口靭帯の施術前のエコー画像であり、図８（Ａ２）は、同部位の施術後のエコー画像である。矢印１０３に示すように、高いエコーが改善し烏口靭帯がゆるんで（癒着が剥がれて）いることがわかる。
【００８２】
図８（Ｂ１）は、左肩甲骨上角における僧帽筋および棘上筋の施術前のエコー画像であり、図８（Ｂ２）は、同部位の施術後のエコー画像である。矢印１０４に示すように、棘上筋がゆるんで（癒着が剥がれて）いることがわかる。
【００８３】
図９（Ａ１）は、左肩甲骨内側上部における棘上筋および菱形筋の施術前のエコー画像であり、図９（Ａ２）は、同部位の施術後のエコー画像である。矢印１０５に示すように、棘上筋および菱形筋がゆるんで（癒着が剥がれて）たわんでいることがわかる。
【００８４】
図９（Ｂ１）は、左の棘上筋の施術前のエコー画像であり、図９（Ｂ２）は、同部位の施術後のエコー画像である。矢印１０６に示すように、筋膜がゆるんで（癒着が剥がれて）いることがわかる。
【００８５】
図１０（Ａ１）は、左の僧帽筋および棘上筋の施術前のエコー画像であり、図１０（Ａ２）は、同部位の施術後のエコー画像である。矢印１０７に示すように、僧帽筋および棘上筋がゆるんで（癒着が剥がれて）いることがわかる。
【００８６】
このように、施術前と施術後のエコー画像からも、本発明により各筋がゆるんでおり、著しく効果的な施術を行えていることがわかる。すなわち、本発明の混合ゲルを用いて、解剖学の知識に基づいた骨格、筋肉、筋膜に対するアプローチを加える本マッサージ方法を施術することで、高ぶった交感神経を鎮め、ストレスを軽減でき、筋肉や筋膜を大きくゆるませることができる。言い換えれば、マッサージ用ゲルである混合ゲルがマッサージ効果を高めてマッサージを支援することができる。
【実施例２】
【００８７】
＜追加機能ブロック＞
制御部２は、実施例１に記載の各種機能部に加えて、表示部５にスタート画面を表示させるスタート画面表示機能部２４と、記憶部３が記憶する各種データを編集する編集機能部２５と、実際または模擬のマッサージに合わせて施術内容を詳細に説明する一連のビデオ画像や音声を連続して出力させるライブ説明機能部２６をさらに備えている（図１参照）。
【００８８】
記憶部３は、実施例１に記載の各種データに加えて、Ｂ面下肢等の各部位のマッサージ手順の各ステップ毎の標準的な施術時間を記録した施術時間データ３４を記憶している。
【００８９】
＜ライブ／シミュレーション動作＞
制御部２のスタート画面表示機能部２４は、マッサージ支援装置１を起動させると、最初に、表示部５にスタート画面５４を表示させる（図１参照）。
【００９０】
図１１は、スタート画面の説明図である。
スタート画面５４は、画面中央部に「施術内容の事前説明」、「施術内容の編集」、および「施術内容のライブ説明」の３つの選択ボタン５４ａ，５４ｂ，５４ｃが縦一列に並べて表示される。スタート画面５４は、画面上部に「＊実施項目を選択してください」との依頼事項５４ｄが表示される。
【００９１】
「施術内容の事前説明」選択ボタン５４ａがクリックされると、実施例１のマッサージ支援装置１を起動させた時と同様の動作をする。すなわち、制御部２のマッサージ部位入力要求機能部２１は、記憶部３からマッサージ部位データ３１を読み込み、表示部５にマッサージ部位入力画面５１を表示させる（図１参照）。
その後も、マッサージ支援装置１は、実施例１に記載した動作をする。
【００９２】
「施術内容の編集」選択ボタン５４ｂがクリックされると、制御部２の編集機能部２５は、記憶部３が記憶する各種データの変更、削除、あるいは、新たなデータの追加等を受け付ける。
【００９３】
「施術内容のライブ説明」選択ボタン５４ｃがクリックされると、制御部２のライブ説明機能部２６は、ライブ説明を必要とするマッサージ部位の選択を求め、選択されたマッサージ部位の部位別マッサージ手順データ３２と、施術内容詳細説明データ３３と、施術時間データ３４を記憶部３から読み込む。
【００９４】
ライブ説明機能部２６は、当該部位別マッサージ手順データ３２に記録された「ステップＮｏ．」の順に、施術時間データ３４に記録された各ステップ毎に決められた施術時間の間、施術内容詳細説明データ３３を参照しつつ、「ステップＮｏ．」に対応する「施術内容」の詳細を説明する施術内容詳細説明画面５３を、表示部５に連続して表示させ、同時に、ビデオ画像データ３３ｂに合わせて録音された音声を音声出力部６から出力させる（図６参照）。
【００９５】
以上の構成と動作により、施術者は、実際に顧客である施術対象者に対して施術を行う前に、模擬的に部位別マッサージ手順の全体の流れを実体験でき、また、マッサージ手順の全体の流れの実体験（シミュレーション）を繰り返すことにより、学習効果を向上させることができる。
【００９６】
また、各ステップ毎の施術内容の詳細説明が、それぞれ予め設定されている標準的な施術時間で行われるため、施術者は各施術の時間配分を体得できる。
【００９７】
施術者は、実際に顧客である施術対象者に対して施術を行う際に、イヤホンを用いて音声を聞くことができるため、顧客に悟られることなく、施術内容の詳細をライブで知ることができ、施術ミスや施術漏れを防止することができる。
【００９８】
また、施術者は、各ステップ毎に解説する施術内容の詳細説明を見聞きしながら、それぞれ予め設定されている施術時間、施術することで、施術対象者の顧客に対する全施術時間が、長くなったり短くなったりすることなく一定にできる。
【００９９】
なお、この発明は本実施形態に限られず他の様々な実施形態とすることができる。
【産業上の利用可能性】
【０１００】
この発明は、マッサージの産業に利用することができる。
【符号の説明】
【０１０１】
１…マッサージ支援装置
２…制御部
３…記憶部
４…入力部
５…表示部
６…音声出力部
２１…マッサージ部位入力要求機能部
２２…マッサージ手順表示機能部
２３…詳細説明表示機能部
３１…マッサージ部位データ
３２…部位別マッサージ手順データ
３３…施術内容詳細説明データ
【図１】
2020120949.tif 000004
【図２】
2020120949.tif 000005
【図３】
2020120949.tif 000006
【図４】
2020120949.tif 000007
【図５】
2020120949.tif 000008
【図６】
2020120949.tif 000009
【図７】
2020120949.tif 000010
【図８】
2020120949.tif 000011
【図９】
2020120949.tif 000012
【図１０】
2020120949.tif 000013
【図１１】
2020120949.tif 000014